(57)【特許請求の範囲】
【請求項１】
中央円板部（６１）と、中央円板部（６１）の周囲に同心円上に配置されるリング状枠部（６２）とが、中央円板部（６１）の中心を通るＸ軸上に形成された一対の連結片（６３）により一体に連結され、全体が上方に湾曲する皿バネ状に形成された導電性タクト板（６）と、
上方に開口する接点収容凹部（９）が凹設され、中央円板部（６１）の中心を通りＸ軸と直交するＹ軸上で、導電性タクト板（６）のリング状枠部（６２）に一体に形成された一対の支持部（６４）を支持し、導電性タクト板（６）を接点収容凹部（９）内に収容する絶縁ハウジング（２）と、
絶縁ハウジング（２）に支持される一対の支持部（６４）の少なくとも一方に常時接触するコモン接点（３ａ）と、
中央円板部（６１）の周縁と対向する接点収容凹部（９）の内底面に露出する第１選択接点（４ａ）と、
中央円板部（６１）の中心と対向する接点収容凹部（９）の内底面に露出する第２選択接点（５ａ）とを備え、
中央円板部（６１）の中心が押し下げられ、リング状枠部（６２）が反転する第１クリックの際に、中央円板部（６１）の周縁の第１可動接点（６ａ）と第１選択接点（４ａ）が接触し、
第１クリックの後、中央円板部（６１）の中心が更に押し下げられて、中央円板部（６１）が反転する第２クリックの際に、中央円板部（６１）の中心の第２可動接点（６ｂ）と第２選択接点（５ａ）とが接触するプッシュスイッチにおいて、
リング状枠部（６２）に、その一部を屈曲させた絞り部（６５）を形成するとともに、
Ｙ軸上の中央円板部（６１）の周縁を第１可動接点（６ａ）として、第１選択接点（４ａ）を、第１可動接点（６ａ）と対向する接点収容凹部（９）の内底面に露出させることを特徴とするプッシュスイッチ。
【請求項２】
絞り部（６５）は、リング状枠部（６２）の４カ所の部位であって、隣り合う部位を結ぶ直線が、Ｘ軸若しくはＹ軸と平行となる各部位に、形成されることを特徴とする請求項１記載のプッシュスイッチ。
【請求項３】
絞り部（６５）は、リング状枠部（６２）の連結片（６３）との連結部（６６）を挟んだ両側の部位に形成されていることを特徴とする請求項１記載のプッシュスイッチ。
【発明の詳細な説明】
【０００１】
【発明の属する技術分野】
本発明は、上方に湾曲する皿バネ状の導電性タクト板を可動接点板として用いたプッシュスイッチに関し、更に詳しくは、２段階のクリック動作で、異なる接点間を橋絡させるプッシュスイッチに関する。
【０００２】
【従来の技術】
皿バネ状の導電性タクト板を用いたプッシュスイッチは、ＡＶ機器の各種入力スイッチ、キーボードのキースイッチなど、小型で、微小ストロークでかつ入力操作の際に所定の操作感覚（クリック感）が要求される押ボタンスイッチに採用され、更に、２段階のクリック動作で、異なるスイッチ回路を動作させるプッシュスイッチが、実公平７−５３２３４号等で知られている。
【０００３】
この種の従来のプッシュスイッチ１００を、図７乃至図１０を用いて説明する。このプッシュスイッチ１００に用いられる導電性タクト板１０１は、図７に示すように、円形の中央円板部１０２と、中央円板部１０２の周囲に同心円上に配置されるリング状枠部１０３とが、中央円板部１０２の中心を通る直線上に形成された一対の連結片１０４、１０４により一体に連結され、全体で、上方に湾曲する皿バネ状に形成されたものである。
【０００４】
連結片１０４、１０４との連結部１０３ａで分けられるリング状枠部１０３の左右の円弧状片１０３ｂ、１０３ｃの各中間には、その一部を絞り上方に屈曲させた絞り部１０５が形成されている。
【０００５】
図８に示すように、円弧状片１０３ｂ、１０３ｃの各中間は、接点収容凹部１０６内で導電性タクト板１０１全体を支持する支持部となるもので、その内、一方の支持部は、接点収容凹部１０６に露出するコモン接点１０７上に載置され、コモン接点１０７と常時接触している。
【０００６】
導電性タクト板１０１を収容する接点収容凹部１０６は、絶縁ハウジング１１１の上方から凹設して形成されるもので、上述の支持部に対向する内底面は、一段高い段部となり、その一方にコモン端子のコモン接点１０７が露出している。
【０００７】
絶縁ハウジングには、このコモン端子と第１選択接点１０８を有する第１切換端子及び第２選択接点１０９を有する第２切換端子が相互に絶縁された状態で、インサート成形により一体に取り付けられている。
【０００８】
第１切換端子が二股状に分岐され、その先端に形成される第１選択接点１０８は、図９、図１０に示すように、接点収容凹部１０６に収容される導電性タクト板１０１の各連結片１０４、１０４に対向する接点収容凹部１０６の内底面に露出し、また、第２選択接点１０９は、導電性タクト板１０１の中心に対向する接点収容凹部１０６の内底面に露出している。
【０００９】
接点収容凹部１０６の上面は、カバー１１２により覆われ、このカバー１１２の挿通孔に、導電性タクト板１０１の中心を押圧する押ボタンなどの操作部１１０が挿通自在となっている。
【００１０】
操作部１１０によって導電性タクト板１０１が押圧操作されていない状態では、導電性タクト板１０１は、皿バネ状に上方に湾曲しているので、コモン接点１０７のみに接触し、第１、第２選択接点１０８、１０９と、所定の間隙が隔てられている。
【００１１】
この状態から、押ボタンの操作部１１０で導電性タクト板１０１の中心を押し下げ操作すると、円弧状片１０３ｂ、１０３ｃに捻りモーメントが発生し、一定の捻り応力を越えると中心に向かって上向きに傾斜していた円弧状片１０３ｂ、１０３ｃは、図９に示すように、下向きに反転する。
【００１２】
この反転より、連結片１０４、１０４が下降し、対向部位に露出する第１選択接点１０８、１０８に接触し、その結果、導電性タクト板１０１を介して、コモン接点１０７と第１選択接点１０８が橋絡して、プッシュスイッチ１００の第１スイッチ回路が閉じる。
【００１３】
また、この後、更に操作部１１０で導電性タクト板１０１の中心を押し下げると、連結片１０４、１０４から反力を受ける中央円板部１０２が、下向きに湾曲するように反転し、その中心が対向部位に露出する第２選択接点１０９に接触する。これにより、導電性タクト板１０１を介して、コモン接点１０７と第２選択接点１０９が橋絡し、プッシュスイッチ１００の第２スイッチ回路が閉じる。
【００１４】
この従来のプッシュスイッチ１００は、可動接点板として上方に湾曲形成した導電性タクト板１０１を用いるので、僅かな操作ストロークで２種類のスイッチ回路を閉じ操作することができ、しかも、各段階の操作において、円弧状片１０３ｂ、１０３ｃと中央円板部１０２が反転するので、その都度クリック感（タクトフィーリング）が操作者に伝わり、微小ストロークであっても、第１、第２の各クリック操作でスイッチ操作の操作感覚が得られるものである。
【００１５】
【発明が解決しようとする課題】
【００１６】
しかしながら、この従来のプッシュスイッチ１００は、第１クリック操作で円弧状片１０３ｂ、１０３ｃとともに反転する連結片１０４を、第１選択接点１０８と接触する可動接点とするので、反転の衝撃が直接接触部に伝わり、接触後に両者が瞬断するチャタリング現象が発生しやすいものであった。
【００１７】
また、連結片１０４と第１選択接点１０８との接触は、面接触であり、塵埃など微小な絶縁物がその間に介在しただけで、接触不良が発生するものであり、以上の２つ理由から接触信頼性に欠け、第１クリック操作において、誤動作が生じやすいものであった。
【００１８】
本発明はこのような従来の問題点を考慮してなされたものであり、第１選択接点１０８と可動接点との接触信頼性を向上させ、第１クリック操作において、確実に動作するプッシュスイッチを提供することを目的とする。
【００１９】
【課題を解決するための手段】
上記目的を達成するため請求項１のプッシュスイッチは、中央円板部と、中央円板部の周囲に同心円上に配置されるリング状枠部とが、中央円板部の中心を通るＸ軸上に形成された一対の連結片により一体に連結され、全体が上方に湾曲する皿バネ状に形成された導電性タクト板と、上方に開口する接点収容凹部が凹設され、中央円板部の中心を通りＸ軸と直交するＹ軸上で、導電性タクト板のリング状枠部に一体に形成された一対の支持部を支持し、導電性タクト板を接点収容凹部内に収容する絶縁ハウジングと、絶縁ハウジングに支持される一対の支持部（６４）の少なくとも一方に常時接触するコモン接点と、中央円板部の周縁と対向する接点収容凹部の内底面に露出する第１選択接点と、中央円板部の中心と対向する接点収容凹部の内底面に露出する第２選択接点とを備え、中央円板部の中心が押し下げられ、リング状枠部が反転する第１クリックの際に、中央円板部の周縁の第１可動接点と第１選択接点が接触し、第１クリックの後中央円板部の中心が更に押し下げられて、中央円板部が反転する第２クリックの際に、中央円板部の中心の第２可動接点と第２選択接点とが接触するプッシュスイッチにおいて、
リング状枠部に、その一部を屈曲させた絞り部を形成するとともに、Ｙ軸上の中央円板部の周縁を第１可動接点として、第１選択接点を、第１可動接点と対向する接点収容凹部の内底面に露出させることを特徴とする。
【００２０】
この構造では、絞り部が形成される部位の曲げ剛さと捻り剛さが大きくなるので、第１クリック操作の際に、リング状枠部全体が反転しにくくなり、反転した際には、大きなクリック感が発生する。
【００２１】
しかしながら、反転するリング状枠部及び連結板から離れた位置にある中央円板部の周縁を、第１選択接点に接触する第１可動接点とするので、反転の衝撃は、これらの接触部に直接伝わらない。
【００２２】
また、中央円板部の周縁を第１可動接点とするので、周縁のエッジ部分が第１選択接点に当接し、両者は、点若しくは線接触となる。エッジ部分が当接するので、第１選択接点の表面に食い込み、当接の衝撃で第１可動接点が第１選択接点から瞬断することもない。
【００２３】
請求項２のプッシュスイッチは、絞り部が、リング状枠部の４カ所の部位であって、隣り合う部位を結ぶ直線が、Ｘ軸若しくはＹ軸と平行となる各部位に、形成されることを特徴とする。
【００２４】
第１クリック操作の際の動作特性は、一対の連結片の連結方向であるＸ軸方向の絞り部間の間隔と、絶縁ハウジングから反力を受ける一対の支持部間の方向であるＹ軸方向の絞り部間の間隔に依存する。
【００２５】
リング状枠部の４カ所の部位で、各部位を結ぶ直線が、Ｘ軸とＹ軸に平行となる部位に、絞り部を形成すれば、Ｘ軸とＹ軸方向の絞り部間の間隔を所定の長さに設定することができ、第１クリック操作の際の動作特性を、容易に調整できる。
【００２６】
請求項３のプッシュスイッチは、絞り部が、リング状枠部の連結片との連結部を挟んだ両側の部位に形成されていることを特徴とする。
【００２７】
中央円板部の中心が押し下げられる第１クリック操作の際に、リング枠部で、反転方向に作用する捻り応力が最大となる連結片との連結部近傍に、捻り剛さが大きくなる絞り部が形成されるので、反転しにくくなり捻りエネルギーを蓄えるので、反転した際には、大きなクリック感が発生する。
【００２８】
【発明の実施の形態】
以下、本発明の一実施の形態に係るプッシュスイッチ１を、図１乃至図６で説明する。図１に示すように、プッシュスイッチ１は、絶縁ハウジング２と、導電性タクト板６と、保護シート７と、金属カバー８とで構成されている。
【００２９】
プッシュスイッチ１において、可動接点板となる導電性タクト板６は、バネ性を有する金属板、例えば、リン青銅板、ベリリウム銅板を、接点収容凹部９内に遊嵌させるように円板状に打ち抜き形成したもので、図１、図２に示すように、円形の中央円板部６１と、その外側のリング状枠部６２が同心円上に形成され、両者が、中心を通るＸ軸上の一対の連結片６３、６３により、一体に連結されている。一体に連結された中央円板部６１、リング状枠部６２及び連結片６３、６３は、図３に示すように、中心に向かって上方に緩やかに湾曲形成され、全体で、中央円板部６１の中心が頂部となった皿バネ状に形成されている。
【００３０】
導電性タクト板６の中心を通り、Ｘ軸と直交するＹ軸上と交差するリング状枠部６２の２カ所の部位には、外側に向かって矩形状の支持片６４、６４が一体に形成されている。
【００３１】
リング状枠部６２には、その円周方向に沿った円弧の一部を絞り上方に屈曲させた絞り部６５が形成されている。絞り部６５は、円周方向に沿った円弧の一部が上方に絞られることによって、図示するように、半径方向に直線上に延びるリブとして表れる。
【００３２】
絞り部６５は、その形成位置と形状を変えることによって、導電性タクト板６の動作特性を調整することができる。同形状の絞り部６５を複数部位に形成する場合には、リング状枠部６２が変形する動作条件は、隣り合う絞り部６５、６５間の、一対の連結片６３、６３の連結方向であるＸ軸方向の間隔と、絶縁ハウジングから反力を受ける一対の支持部６４、６４間の方向であるＹ軸方向の間隔によって異なるものとなる。
【００３３】
従って、リング状枠部６２の４カ所の部位であって、各部位を結ぶ四角形の各辺が、Ｘ軸若しくはＹ軸に平行となるような４カ所の部位を、絞り部６５の形成位置とすれば、隣り合う絞り部６５、６５間のＸ軸若しくはＹ軸方向の間隔を所望の長さとすることができ、リング状枠部６２が変形する動作条件、すなわち、１段目のクリック操作の際の動作条件を容易に調整することができる。
【００３４】
ここでは、Ｘ軸とＹ軸に対してπ／４傾斜する２つの直線とリング状枠部６２が交差する４カ所の部位に絞り部６５を形成し、隣り合う絞り部６５、６５間のＸ軸とＹ軸方向の間隔を略等しくしている。
【００３５】
絶縁ハウジング２は、絶縁性の合成樹脂により全体が直方体状に成形されたもので、その上面には、導電性タクト板６を収容する接点収容凹部９が、上方から凹設されている。接点収容凹部９は、導電性タクト板６をがたつきなくその内部に位置決め収容するように、導電性タクト板６の輪郭より僅かに大径の円筒状に形成されている。
【００３６】
また、絶縁ハウジング２には、導電性の金属板をプレス成形により帯状に打ち抜き所定形状に形成したコモン端子３と第１、第２選択端子４、５が、図１に示すように、インサート成形により互いに絶縁して取り付けられている。
【００３７】
コモン端子３は、帯状片の両側の脚部３ｂ、３ｂを絶縁ハウジング２から突出させるとともに、中間から一対の枝片を円筒状の接点収容凹部９に沿って分岐させたもので、枝片の先端が、コモン接点３ａとなり、接点収容凹部９のＹ軸方向の両側に形成された凹部９ａ、９ａ内に露出している。
【００３８】
凹部９ａ、９ａには、接点収容凹部９に収容される導電性タクト板６の支持片６４、６４が遊嵌されるもので、凹部９ａ、９ａの底面は、内側の内底面より僅かに高い段部となっているので、皿バネ状の導電性タクト板６は、このＹ軸上の２カ所の支持片６４、６４で、全体が支持されるものとなる。また、コモン接点３ａ、３ａは、支持片６４、６４を支持することにより接触し、コモン端子３と導電性タクト板６が常に導通するものとなる。
【００３９】
第１選択端子４は、帯状片の一側の脚部４ｂを絶縁ハウジング２から突出させるとともに、他側を、円筒状の接点収容凹部９の中心を囲うようにＪ字上に屈曲形成してなるもので、Ｊ字部分のＹ軸が交差する部位に、上方に打ち出した第１選択接点４ａ、４ａが形成される。第１選択接点４ａ、４ａは、上方に打ち出されることにより、接点収容凹部９の内底面であって、収容される導電性タクト板６の中央円板部６１周縁の下方に露出している。導電性タクト板６は、支持片６４が凹部９ａに遊嵌することにより、回転方向で位置決めされ、第１選択接点４ａ、４ａは、それぞれ、中央円板部６１周縁で、連結片６３、６３より最も離れた位置で、第１可動接点６ａとなるＹ軸上の周縁に対向することとなる。
【００４０】
第２選択端子５は、第１選択端子４と干渉しないように、逆Ｌ字状に形成された帯状片で、その一側の脚部５ｂは、脚部４ｂが突出する絶縁ハウジング２の逆側側面から突出し、他側は、円筒状の接点収容凹部９の中心に、上方に打ち出されて露出する第２選択接点５ａとなっている。従って、第２選択接点５ａは、接点収容凹部９に収容される導電性タクト板６の第２可動接点６ｂとなる中央円板部６１の中心に対向するものとなる。
【００４１】
導電性タクト板６は、上方に湾曲する皿バネ状に形成されているので、外力を受けない状態では、第１選択接点４ａと第２選択接点５ａとは、所定の間隙で隔てられ、絶縁している。
【００４２】
尚、コモン端子３、第１、第２選択端子４、５の各脚部３ｂ、４ｂ、５ｂは、絶縁ハウジング２の底面に沿ってクランク状に折り曲げられ、プリント配線基板のプリント配線基板の対応する導電パターン（図示せず）に半田付けされる。
【００４３】
保護シート７は、導電性タクト板６と金属カバー８の間に取り付けられる可撓性シートで、金属カバー８の挿通孔８ａを遮蔽することにより、接点収容凹部９内への塵埃の侵入を防止する防塵シートである。保護シート７の周囲には、放射状に４片の突片７ａが突設され、それぞれが接点収容凹部９周囲の位置決め溝９ｂに収容されることにより、位置決めされる。
【００４４】
プッシュスイッチ１の操作においては、導電性タクト板６の中央円板部６１が、保護シート７を介して、挿通孔８ａを挿通する操作突起１０により押し下げられる。
【００４５】
金属カバー８は、絶縁ハウジング２の平面で、接点収容凹部９の開口面を覆う正方形状に形成されている。正方形状のＸ軸方向で対向する両側には、それぞれ係合孔１１が設けられた一対の取付片８ｂが、絶縁ハウジング２の外壁面に沿って下方に垂設されている。一方、取付片８ｂと対向する外壁面には、係合孔１１と係合する係合突起１２が突設され、金属カバー８は、係合孔１１に係合突起１２を係合させて、絶縁ハウジング２に固定される。絶縁ハウジング２に取り付けられた金属カバー８の挿通孔８ａは、導電性タクト板６の中央円板部６１の中心上方に位置し、従って、挿通孔８ａを挿通する操作突起１０は、中央円板部６１の中心を押圧し、押し下げるものとなる。
【００４６】
このように構成されたプッシュスイッチ１の押圧操作について、図３乃至図６で説明する。
【００４７】
図３は、プッシュスイッチ１を押圧操作する前の常態をしめすもので、外力を受けていない導電性タクト板６は、皿バネ状に全体が上方に湾曲しているので、第１、第２選択接点４ａ、５ａと所定の絶縁間隔で隔てられ、開離している。
【００４８】
この常態から操作突起１０を押圧操作すると、導電性タクト板６の中央円板部６１の中心が下方へ押し下げられ、図６に示すＰ０からＰ１まで、導電性タクト板６全体の弾性で略押圧荷重に比例して押し下げられる。このとき、リング状枠部６２には、支持片６４から反力を受け、反転する方向に捻り応力と曲げ応力が生じているが、これらの応力に対して絞り部６５の形成部位は、高い抵抗を示し、７０ｍｍｇｆ（ミリグラムフォース）の荷重が加えられるまで反転しない。
【００４９】
７０ｍｍｇｆの荷重が操作突起１０から加えられると（図６においてＰ１）、リング状枠部６２とこれにつられて連結片６３が、図４に示すように、導電性タクト板６の中心に向かって下方に傾斜するように反転し、上方に湾曲する中央円板部６１全体が下降する。この下降によって、中央円板部６１周縁の第１可動接点６ａが、その下方の第１選択接点４ａに当接し、両者が接触する。反転までに、リング状枠部６２に蓄積されていた捻り応力と曲げ応力によるエネルギーは、反転の際に、反転方向に付勢するように作用するので、図６に示すＰ１からＰ２まで、操作突起１０による押圧荷重は、ストローク（押し下げ量）が０．５ｍｍまで増加するにもかかわらず、一時的に減少する。押圧荷重の減少は、クリック感として操作突起１０を通じて操作者に伝達され、操作者は、このクリック感により、第１可動接点６ａと第１選択接点４ａが接触したことを知ることができる。以下、リング状枠部６２が反転する際の押圧操作を、第１クリック操作という。
【００５０】
第１クリック操作におけるクリック感は、Ｐ１とＰ２の押圧荷重の差に比例した大きさとなるものであるが、隣り合う絞り部６５、６５間のＸ軸方向の間隔が長く、Ｙ軸方向の間隔が短いほど、換言すると、連結片６３、６３との連結部６６に接近させて絞り部６５を形成するほど、反転に対する抵抗が大きく、反転の際の押圧荷重Ｐ１が大きくなり、Ｐ１とＰ２の押圧荷重の差も大きくなる。従って、リング状枠部６２の連結部６６の両側に絞り部６５を形成すれば、微小ストロークでありながら、大きなクリック感による操作感覚が得られる。
【００５１】
第１クリック操作においては、反転するリング状枠部６２及び連結片６３から離れた中央円板部６１周縁を、第１選択接点４ａと接触する第１可動接点６ａとするので、反転の際の物理的振動が接触部に伝わりづらく、接触の際にチャタリングが発生しない。
【００５２】
また、第１選択接点４ａには、中央円板部６１の周縁が第１可動接点６ａとして接触するので、両者は、線若しくは点接触で接触するとともに、中央円板部６１の周縁は、プレス成形で切断したエッジ状の端面となっているので、リング状枠部６２が反転する勢いで第１選択接点４ａに当接し、その表面に食い込む。
【００５３】
これらの理由から、第１クリック操作により、第１選択接点４ａと第１可動接点６ａとは、接触不良が生じることがなく、コモン端子３と第１選択端子４は、導電性タクト板６を介して確実に橋絡し、第１スイッチ回路が閉じる。
【００５４】
第１クリック操作の後、更に導電性タクト板６の中心（頂部）を押し下げると、第１可動接点６ａ、６ａで反力を受ける中央円板部６１は、図６に示すように、微小ストロークで急激に押圧荷重がＰ２から上昇し、押圧荷重が２００ｍｍｇｆとなるＰ３で、中央円板部６１自体が倒伏し反転する。
【００５５】
この反転の際には、第１クリック操作と同様に、Ｐ３までの押圧荷重により中央円板部６１に蓄積された弾性及び捻りエネルギーが、反転方向に付勢するように作用するので、図６に示すＰ３からＰ４まで、ストローク（押し下げ量）が増加するにもかかわらず、押圧荷重は一時的に減少し、クリック感が発生する。以下、中央円板部６１の反転する際の押圧操作を、第２クリック操作という。
【００５６】
図５に示すように、第２クリック操作によって、反転する中央円板部６１の中心にある第２可動接点６ｂは、下方に変位し、対向部位に露出する第２選択接点５ａに当接し接触する。その結果、導電性タクト板６を介して、コモン端子３と第２選択端子５が橋絡し、第２スイッチ回路が閉じる。
【００５７】
その後、操作突起１０からの押圧を解除すれば、導電性タクト板６は、自身の弾性により、中心が上方に突出する皿バネ状に復帰し、図３に示す常態に復帰し、第１スイッチ回路と第２スイッチ回路がそれぞれ開く。
【００５８】
本発明は以上の実施の形態に限定されることなく、種々変形が可能であり、例えば、上記実施の形態では、絞り部６５を４カ所の部位に形成したが、その位置と数は、これに限らず、一つ若しくは多数の絞り部６５を形成してもよい。更に、絞り部６５の形状についても、反転に対して抵抗する用に作用するものであれば、種々の形状とすることができる。
【００５９】
また、上述の実施の形態では、外部の操作突起１０をプッシュスイッチ１内に挿入して、操作するものであったが、押ボタン、アクチュエータ等を、導電性タクト板６上に配設しながら、絶縁ハウジング２内に収容し、外部に突出するその一部を押圧操作するものであってもよい。
【００６０】
更に、保護シート７は、防塵の必要に応じて介在させるものであり、必ずしも設ける必要はない。
【００６１】
【発明の効果】
請求項１の発明によれば、第１クリック操作において、可動接点と第１選択接点の接触信頼性が向上し、確実にプッシュスイッチの第１スイッチ回路が閉じる。
【００６２】
更に請求項２の発明によれば、第１クリック操作の際の動作特性を、容易に調整することができる。
【００６３】
更に、請求項３の発明によれば、微小ストロークでありながら、大きなクリック感を発生させ、確実に操作者に操作感覚を伝達させることができる。
【図面の簡単な説明】
【図１】本発明一実施の形態に係るプッシュスイッチ１の分解斜視図である。
【図２】金属カバー８と保持シート７を除いたプッシュスイッチ１の平面図である。
【図３】プッシュスイッチ１の常態を示す端面図である。
【図４】第１クリック操作を示すプッシュスイッチ１の端面図である。
【図５】第２クリック操作を示すプッシュスイッチ１の端面図である。
【図６】プッシュスイッチ１への押圧荷重と押し下げストロークの関係を示す荷重−変位特性図である。
【図７】従来のプッシュスイッチ１００に用いられる導電性タクト板１０１の平面図である。
【図８】円弧状片１０３ｂ、１０３ｃの各中間で切断した従来のプッシュスイッチ１００の常態を示す縦断面図である。
【図９】コモン接点１０７と第１選択接点１０８で切断した従来のプッシュスイッチ１００の第１クリック操作を示す縦断面図である。
【図１０】コモン接点１０７と第１選択接点１０８で切断した従来のプッシュスイッチ１００の第２クリック操作を示す縦断面図である。
【符号の説明】
１    プッシュスイッチ
２    絶縁ハウジング
３ａ  コモン接点
４ａ  第１選択接点
５ａ  第２選択接点
６    導電性タクト板
６ａ  第１可動接点
６ｂ  第２可動接点
９    接点収容凹部
６１  中央円板部
６２  リング状枠部
６３  連結片
６４  支持部（支持片）
６５  絞り部
６６  連結部
【図１】
0004629913.tif 000002
【図２】
0004629913.tif 000003
【図３】
0004629913.tif 000004
【図４】
0004629913.tif 000005
【図５】
0004629913.tif 000006
【図６】
0004629913.tif 000007
【図７】
0004629913.tif 000008
【図８】
0004629913.tif 000009
【図９】
0004629913.tif 000010
【図１０】
0004629913.tif 000011